(57)【要約】【課題】  光ディスクのフォーカス方向およびトラッキング方向への制御を、安定かつ正確に行う光ピックアップ装置およびそれを備えた光ディスク記録再生装置を提供する。【解決手段】  対物レンズ１と光学素子６とが一体となって駆動する光ピックアップ装置を構成する制御機構５０の可動部において、ホルダー２の対物レンズ保持側および光学素子側に、第１のバランサ７および第２のバランサ８をそれぞれ設ける。【選択図】  図１
2005235266.tif 000002
【特許請求の範囲】
【請求項１】
対物レンズおよび光学素子を備えたホルダーと、対物レンズにより光レーザを照射する光ディスクとの相対的な位置関係を、上記ホルダーを備えた可動部を駆動することによって制御する制御機構を備えている光ピックアップ装置であって、
上記ホルダーは、上記制御機構による駆動力が作用する作用点の中心に上記可動部の重心を近づけるバランサを備えていることを特徴とする光ピックアップ装置。
【請求項２】
上記対物レンズは、上記ホルダーの重心を基準として、上記光ディスク側に設けられており、
上記光学素子は、上記ホルダーの重心を基準として、上記光ディスクの反対側に設けられており、
上記バランサは、上記光ディスク側または上記光ディスクの反対側に設けられていることを特徴とする請求項１記載の光ピックアップ装置。
【請求項３】
上記対物レンズは、上記ホルダーの重心を基準として、上記光ディスク側に設けられており、
上記光学素子は、上記ホルダーの重心を基準として、上記光ディスクの反対側設けられており、
上記バランサは、上記光ディスク側および上記光ディスクの反対側に設けられていることを特徴とする請求項１記載の光ピックアップ装置。
【請求項４】
上記作用点と上記可動部の重心とのずれは、上記対物レンズおよび上記光学素子の組立て精度誤差に起因するものであり、当該ずれが上記バランサによって低減されていることを特徴とする請求項１から３の何れか１項に記載の光ピックアップ装置。
【請求項５】
上記バランサは、貫通した穴を備えていることを特徴とする請求項１から４の何れか１項に記載の光ピックアップ装置。
【請求項６】
上記バランサは、中心対称のドーナツ形状であることを特徴とする請求項１から５の何れか１項に記載の光ピックアップ装置。
【請求項７】
上記バランサの材質が、非磁性体であることを特徴とする請求項１から６の何れか１項に記載の光ピックアップ装置。
【請求項８】
少なくとも上記光ディスクの反対側に設けられた上記バランサが、透光性材料であり、かつ、平板であることを特徴とする請求項１から７の何れか１項に記載の光ピックアップ装置。
【請求項９】
上記バランサが、光学素子表面に装着されていることを特徴とする請求項８に記載の光ピックアップ装置。
【請求項１０】
上記制御機構は、上記可動部を駆動するコイルを備えており、
上記可動部が弾性支持部によって支持されており、
上記弾性支持部が上記コイルに電源を供給する供給経路であることを特徴とする請求項１から９の何れか１項に記載の光ピックアップ装置。
【請求項１１】
上記ホルダーと上記光学素子との間に、１／４波長板が備えられていることを特徴とする請求項１から１０のいずれか１項に記載の光ピックアップ装置。
【請求項１２】
上記光学素子が、液晶素子であることを特徴とする請求項１１に記載の光ピックアップ装置。
【請求項１３】
上記弾性支持部を構成する複数の支持部材のうち、いくつかの上記支持部材が、光学素子に駆動信号を供給するための導電性の材料から構成されていることを特徴とする請求項１から１２のいずれか１項に記載の光ピックアップ装置。
【請求項１４】
対物レンズ及び光学素子を備えたホルダーと、対物レンズにより光レーザを照射する光ディスクとの相対的な位置関係を、上記ホルダーを備えた可動部を駆動することによって制御する制御機構を備えている光ピックアップ装置の製造方法であって、
上記対物レンズおよび上記光学素子を上記ホルダーに載置した後に、上記ホルダーにバランサを載置することを特徴とする光ピックアップ装置の製造方法。
【請求項１５】
請求項１から１３に記載の光ピックアップ装置を備える光ディスク記録再生装置。
【発明の詳細な説明】
【技術分野】
【０００１】
本発明は、光ピックアップ装置およびその製造方法、並びにそれを備えた光ディスク記録再生装置に関し、より詳細には、バランサが対物レンズおよび光学素子が一体駆動する制御機構に設けられた光ピックアップ装置に関するものである。
【背景技術】
【０００２】
従来より、光レーザーを用いた光ディスクへの情報の記録や再生を行う手段として、光ピックアップ装置が用いられる。
【０００３】
この光ピックアップ装置には、高速回転する光ディスクの面振れや偏心が発生している状況において、対物レンズにより集光されたスポット光を常に光ディスク上の所望のトラックに当てる機能を必要とする。スポット光を所望のトラックに当てるためには、いわゆるアクチュエータサーボ技術が用いられている。このアクチュエータサーボ技術によって、ディスクの記録面上に照射されたスポット光をフォーカス方向または上記光ディスクのトラックキング方向に高速かつ高精度で制御することが可能となる。
【０００４】
このようなアクチュエータサーボ技術には、安定性が求められている。安定性を求める上で重要となるのは、光ピックアップ装置における対物レンズを含む可動部分の重心の位置の調整である。
【０００５】
このように重心の調整を行うことでアクチュエータサーボ技術の安定性を得ている具体的な技術としては、対物レンズを保持するボビンの対物レンズ保持側とは反対側にバランスウエイトを設け、可動体の重心位置を調整している技術が特許文献１に開示されている。ボビンの片側に対物レンズが備えられている場合、上記可動体の重心位置が、上記対物レンズ側に位置している。そこで、特許文献１のように上記ボビンの対物レンズ保持側とは反対側に上記バランスウエイトを設けることにより、上記可動体の重心を、バランスウエイトを設けた側に調整することができる。すなわち、上述したようなトラックキング方向およびフォーカス方向へ上記可動体を駆動する場合に、これらの方向へのそれぞれの駆動力が可動体の重心に働くようにすることができる。したがって、安定したアクチュエータサーボ技術を実現することができる。
【０００６】
また、同じく、対物レンズをその片側に設けた被駆動体について、特許文献２に開示されている。この技術についても、対物レンズをその片側に設けた被駆動体の反対側に重心調整手段が備えられている。上記重心調整手段が設けられることにより、対物レンズ側に位置していた被駆動体の重心を調整することができ、トラックキング方向の駆動力および、フォーカス方向の駆動力が調整後の重心に働くことができる。したがって、特許文献１と同じく、安定したアクチュエータサーボ技術を実現することができる。
【０００７】
また、近年の光ピックアップ装置においては、光学素子が、上述したような対物レンズを保持した可動体（被駆動体）と一体化されているものが提供されている。
【０００８】
上述した特許文献１および特許文献２にある光ピックアップ装置では、上記可動体（上記被駆動体）には、光学素子は備えられておらず、対物レンズと光学素子とが離れている状態である。このように、可動する対物レンズと光学素子とが離れている場合、上記対物レンズと上記光学素子との間で位置ずれを起こす可能性があり、このような場合に、光ピックアップ装置においては、コマ収差の発生により特性の劣化が生じる可能性がある。
【０００９】
このような問題を解決するために、上記光学素子が、上述したような対物レンズを保持した可動体（被駆動体）と一体化されている光ピックアップ装置が特許文献３に開示されている。対物レンズを保持した可動体（被駆動体）と光学素子とが一体化されていることにより、上述したような問題点を解決することができる。
【特許文献１】特開平５−１２８５５９号公報（公開日：１９９３年５月２５日）
【特許文献２】特開平７−１６９０７５号公報（公開日：１９９５年７月４日）
【特許文献３】特開２００３−６９０２号公報（公開日：２００３年１月１０日）
【発明の開示】
【発明が解決しようとする課題】
【００１０】
上述したように、アクチュエータサーボ技術は、トラックキング方向およびフォーカス方向への制御を安定して行うために、可動する対物レンズを保持する部分の重心を調整する必要がある。
【００１１】
しかしながら、上述した光ピックアップ装置には、それぞれ以下の問題がある。
【００１２】
特許文献１および特許文献２に記載の技術では、バランスウエイトまたは重心調整手段を用いることにより重心調整を行っているが、これらの技術は、重心調整を一方向しか行うことができない構成になっている。すなわち、特許文献１および特許文献２に記載の技術は、対物レンズ側にある重心を、バランスウエイトまたは重心調整手段を、対物レンズが設けられた面とは反対側に設けることによって、重心を調整し、トラックキング方向およびフォーカス方向への駆動力を重心に対して働くようにしたものである。したがって、その調整方向は、常に対物レンズ側とは反対側の一方向となる。
【００１３】
また、特許文献３の光ピックアップ装置は、対物レンズと光学素子とを一体化し、駆動しているが、この駆動している部分であるアクチュエータにおける重心の調整は、特に行われていない。
【００１４】
上記アクチュエータに備えられた対物レンズおよび光学素子は重量の違いや、それらの接着方法の違いや、接着材料の重量の違いを生じる。すなわち、上記アクチュエータの重心は、対物レンズと光学素子との中心に位置するのではなく、対物レンズ側または光学素子側のどちらかに位置している可能性が高い。したがって、上記アクチュエータをトラックキング方向およびフォーカス方向へ駆動させる力を、例えば対物レンズと光学素子との中心に作用させた場合、上記アクチュエータの重心に対して働いていない可能性がある。
【００１５】
さらに、上記対物レンズおよび上記光学素子を組み立てる工程において、接着剤量の誤差や、組み立て精度の誤差が生じる可能性があり、予期せず上記アクチュエータの重心が、駆動力が作用する作用点に対してずれる可能性がある。
【００１６】
駆動させる力が上記アクチュエータの重心に対応していない場合においては、駆動時における駆動電流の特定周波数において不要な共振や位相の乱れが発生する。このため、安定、かつ、正確なトラッキング制御及びフォーカシング制御を行うことができない。
【００１７】
そこで本発明は、上記の問題点に鑑みてなされたものであり、その目的は、コマ収差の発生により特性の劣化が起こらない、対物レンズと光学素子とが一体化した光ピックアップ装置において、トラッキング制御及びフォーカシング制御の安定性を向上させた光ピックアップ装置を提供することにある。
【課題を解決するための手段】
【００１８】
本発明に係る光ピックアップ装置は、上述した課題を解決するために、対物レンズおよび光学素子を備えたホルダーと、対物レンズにより光レーザを照射する光ディスクとの相対的な位置関係を、上記ホルダーを備えた可動部を駆動することによって制御する制御機構を備えている光ピックアップ装置であって、上記ホルダーは、上記制御機構による駆動力が作用する作用点の中心に上記可動部の重心を近づけるバランサを備えていることを特徴としている。
【００１９】
上述した構成を備えることにより、上記ホルダーの重心を容易に調節し、上記制御機構による駆動力が作用する作用点の中心に近づけることができる。そのため、上記ホルダーと上記光ディスクとの相対的な位置関係を、安定、かつ、正確に制御することが可能となる。具体的に説明すると、以下の通りである。
【００２０】
上記ホルダーを備えた上記可動部を駆動することにより、上記対物レンズおよび光学素子を備えた当該ホルダーと光ディスクとの相対的な位置を制御する制御機構を備えている光ピックアップ装置は、光ディスクの記録面上に照射されたスポット光をフォーカス方向または上記光ディスクのトラックキング方向に制御する。上記制御機構は、フォーカス方向およびトラックキング方向への高い制御能が要求される。この高い制御能を可能にするためには、少なくとも上記可動部の重心が、当該可動部を駆動する力の作用点の中心に近い位置にある必要がある。ここで、可動部を駆動するために働く力は、後述するホルダーに備えられるコイルのあらゆる箇所から働いているが、この全ての力を一つの力として考えた場合、その力は上記可動部の中心から働いていると考えることができる。これを上述した「作用点の中心」としている。また、重心が「作用点の中心に近い位置にある」とは、この作用点の中心を含む、光軸に垂直な仮想面上に、上記可動部の重心が位置しているということである。
【００２１】
しかしながら、上記可動部は、上記ホルダーに備えられる対物レンズおよび光学素子の重量の違いや、それらの接着方法の違いや、接着材料の重量の違いを生じる。そのため、上記可動部の重心は、対物レンズ側に位置したり、光学素子側に位置する場合がある。
【００２２】
したがって、本発明の光ピックアップ装置は、上記ホルダーにバランサを設けることによって、上記可動部の重心を上記制御機構による駆動力が作用する作用点に容易に調整することができる。これにより、上記可動部を通過した光レーザによって光ディスクの記録面上に照射されたスポット光を、フォーカス方向およびトラックキング方向に安定、かつ、正確に制御することが可能となる。
【００２３】
また、本発明に係る光ピックアップ装置は、上記対物レンズが、上記ホルダーの重心を基準として、上記光ディスク側に設けられており、上記光学素子が、上記ホルダーの重心を基準として、上記光ディスクの反対側に設けられており、上記バランサが、上記光ディスク側または上記光ディスクの反対側に設けられていることを特徴としている。
【００２４】
上記対物レンズおよび上記光学素子は、上記ホルダーの重心が両者の間に位置するように設けられている。そのため、上記可動部の重心は、上記対物レンズおよび上記光学素子の重量の違いや、それらの接着方法の違いや、接着材料の重量の違いによって、上記対物レンズ側または上記光学素子側に位置する場合がある。
【００２５】
上記重心が上記対物レンズ側または上記光学素子側に位置し、上記制御機構による駆動力が作用する作用点とずれている場合、光ピックアップ装置は、安定、かつ、正確なフォーカス方向またはトラックキング方向への制御を行うことができない。
【００２６】
したがって、上述したようなバランサを上記光ディスク側または上記光ディスクの反対側に設けることにより、上記可動部の重心を上記制御機構による駆動力が作用する作用点に容易に調整することが可能となる。
【００２７】
これにより、本発明の光ピックアップ装置は、安定、かつ、正確なフォーカス方向またはトラックキング方向への制御を行うことが可能となる。
【００２８】
なおここで、「上記対物レンズ側」とは、具体的には、上記ホルダーに保持された対物レンズの、光ディスクから反射された光レーザ（反射光）が入射する側のことである。また同じく「上記光学素子側」とは、具体的には、上記ホルダーに備えられた上記光学素子の、光源から照射される光レーザが入射する側のことである。
【００２９】
また、本発明に係る光ピックアップ装置は、上記対物レンズが、上記ホルダーの重心を基準として、上記光ディスク側に設けられており、上記光学素子が、上記ホルダーの重心を基準として、上記光ディスクの反対側に設けられており、上記バランサが、上記光ディスク側および上記光ディスクの反対側に設けられていることを特徴としている。
【００３０】
これにより、本発明に係る光ピックアップ装置は、上記可動部の重心調整の方向が一方向に限定されることがなく、対物レンズ側および光学素子側双方向に調整することが出来る。
【００３１】
すなわち、上述したように上記対物レンズおよび上記光学素子の重量等の違いは上記制御機構の製造前に予め分かっているため、これらの違いから、製造後の制御機構の重心の位置を予測し、算出することにより、重心の調整方向、調整量を求めることは可能である。しかしながら、組み立てる過程で、例えば接着剤のばらつきであったり、組み立て精度のばらつきなどにより、予期しないずれを生じる場合がある。そのような場合、最終的な重心調整の方向が予想していた方向と必ずしも同方向であるとは限らない。そのため、重心調整の方向は、対物レンズ側および光学素子側双方向に調整できる必要がある。
【００３２】
したがって、本発明の光ピックアップ装置は、バランサを上記ホルダーの上記対物レンズ側および上記光学素子側に設けることで、対物レンズ側および光学素子側双方向に重心を調整することができる。そのため、上記可動部の重心を上記制御機構による駆動力が作用する作用点に正確に調整することができる。これにより、安定、かつ、正確なフォーカス方向およびトラックキング方向への制御が可能となる。
【００３３】
また、本発明に係る光ピックアップ装置は、上記バランサが、貫通した穴を備えていることを特徴としている。
【００３４】
これにより、情報の記録および／または再生を行うための光レーザの光路を妨げることなく、上記可動部の重心を上記制御機構による駆動力が作用する作用点に調整することが可能である。
【００３５】
したがって、本発明の光ピックアップ装置は、上記ホルダーに上述した構造のバランサを備えることから、記録再生信号の劣化を起こさず、安定、かつ、正確なフォーカス方向およびトラックキング方向への制御が可能となる。
【００３６】
また、本発明に係る光ピックアップ装置は、上記バランサが、中心対称のドーナツ形状であることを特徴としている。
【００３７】
これにより、バランサは中心対称であるため、上記可動部のトラッキング方向への重心ずれを生じることなく、フォーカス方向の重心位置を調整することが可能である。
【００３８】
また、本発明に係る光ピックアップ装置は、上記バランサの材質が、非磁性体であることを特徴としている。
【００３９】
これにより、マグネット等の磁気回路が作る磁場を乱すことがないため、磁場乱れによる感度の低下や可動部の発生推力の低下を防ぐことができる。
【００４０】
したがって、本発明の光ピックアップ装置は、上述したような制御機構を備えることから、安定したフォーカス方向およびトラックキング方向への制御が可能となる。
【００４１】
また、本発明に係る光ピックアップ装置は、少なくとも上記光ディスクの反対側に設けられた上記バランサが、透光性材料であり、かつ、平板であることを特徴としている。
【００４２】
上記光学素子側に設けられたバランサが平板で透光性材料であるため、情報の記録および／または再生を行うための光レーザの光路は妨げられることがない。そのため、上記バランサには、その中心部に貫通した穴を設ける必要がない。したがって、上記バランサに上記貫通した穴を設けるための工程を必要とせず、穴を設けたバランサを設けた制御機構を製造する場合と比較し、その製造効率を向上することが可能となる。
【００４３】
また、同じバランサの重量を有するために必要となる透光性材料のバランサの大きさは、バランサに穴を設けていないため、上述したような穴を設けているバランサの大きさと比べ、縮小することが可能となる。したがって、上記可動部の光学素子側にわずかなスペースしかない場合であっても、上述したバランサを備えることが可能となる。
【００４４】
また、本発明に係る光ピックアップ装置は、上記の光ピックアップ装置において、上記バランサが、光学素子表面に装着されていることを特徴としている。
【００４５】
これにより、上記光学素子側に設けられたバランサは、平行光束中に設置されるため、上記バランサの中心部に穴を設けていなくても、情報の記録および／または再生を行うための光レーザの光路を妨げることがなく、かつ、波面の乱れが発生せず、上記可動部の重心調整を行うことが可能となる。
【００４６】
また、本発明に係る光ピックアップ装置は、上記制御機構が、上記可動部を駆動するためのコイルを備えており、上記ホルダーが弾性支持部によって支持されており、当該弾性支持部が上記コイルに電源を供給するための供給経路であることを特徴としている。
【００４７】
上記可動部を駆動させるための給電経路を新たに設けた場合、上記可動部のスムーズな駆動を妨げる可能性が生じる。したがって、上述した構成とすることにより、上記可動部はスムーズに駆動することが可能となる。
【００４８】
また、本発明に係る光ピックアップ装置は、上記ホルダーと上記光学素子との間に、１／４波長板が備えられていることを特徴としている。
【００４９】
これにより、通常光学素子に入射する光の偏光状態として望ましい直線偏光を可動部に入射したとしても、光ディスクには円偏光で入射・反射できるため、高い光の利用効率を得ることが可能となる。
【００５０】
また、本発明に係る光ピックアップ装置は、上記の光ピックアップ装置において、上記光学素子が、液晶素子であってもよい。
【００５１】
また、本発明に係る光ピックアップ装置は、上記の光ピックアップ装置において、上記弾性支持部を構成する複数の支持部材のうち、いくつかの上記支持部材が、光学素子に駆動信号を供給するための導電性の材料から構成されていることを特徴としている。
【００５２】
これにより、上記ホルダーに備えられた光学素子が、駆動信号供給が必要な光学素子である場合に、別途の駆動信号供給手段を設ける必要がない。上記光学素子は、上記対物レンズと一体可動するため、上記駆動信号供給手段が別途設けられている光学素子が備えられているとスムーズな可動を妨げる可能性が生じる。
【００５３】
したがって、上述した構成の支持部材を含む支持部材から構成される上記弾性支持部を用いることにより、駆動信号供給が必要な光学素子を備えた場合であっても、上記可動部のスムーズな可動を実現することができる。
【００５４】
また、本発明に係る光ピックアップ装置の製造方法は、対物レンズ及び光学素子を備えたホルダーと、対物レンズにより光レーザを照射する光ディスクとの相対的な位置関係を、上記ホルダーを備える可動部を駆動することによって制御する制御機構を備えている光ピックアップ装置の製造方法であって、上記対物レンズおよび上記光学素子を上記ホルダーに載置した後に、上記ホルダーにバランサを載置することを特徴としている。
【００５５】
これにより、上記対物レンズおよび光学素子を組み立てる過程での接着剤や半田のばらつきであったり、組み立て精度のばらつきなどから生じる上記可動部の重心のずれに対応することができ、上記重心を上記制御機構による駆動力が作用する作用点に近づくように調整することが可能となる。
【００５６】
また、本発明に係る光ピックアップ装置を備えた光ディスク記録再生装置は、上記光ピックアップ装置が、フォーカス方向およびトラックキング方向への高い制御能を備えていることから、本発明に係る光ディスク記録再生装置は、光ディスクに対する良好な情報の記録および／または再生を実現できる。
【発明の効果】
【００５７】
本発明に係る光ピックアップ装置は、以上のように、対物レンズおよび光学素子を備えたホルダーと、対物レンズにより光レーザを照射する光ディスクとの相対的な位置関係を、上記ホルダーを備える可動部を駆動することによって制御する制御機構を備えている光ピックアップ装置であって、上記ホルダーは、上記制御機構による駆動力が作用する作用点の中心に上記可動部の重心を近づけるためのバランサを備えていることを特徴としている。
【００５８】
上述した構成を備えることにより、上記可動部の重心を容易に調節し、上記制御機構による駆動力が作用する作用点に近づけることができる。そのため、上記可動部と上記光ディスクとの相対的な位置関係を、安定、かつ、正確に制御することが可能となる。
【００５９】
より具体的には、上記対物レンズは、上記ホルダーの重心を基準として上記光ディスク側に、光軸に対して略垂直になるように設けられており、上記光学素子は、上記ホルダーの重心を基準として上記光ディスクの反対側に、光軸に対して略垂直となるように設けられており、上記バランサが、上記光ディスク側または／および上記光ディスクの反対側に設けられていることを特徴としている。
【００６０】
上記ホルダーを備えた上記可動部を駆動することにより、上記対物レンズおよび光学素子を備えた当該ホルダーと光ディスクとの相対的な位置を制御する制御機構を備えている光ピックアップ装置は、光ディスクの記録面上に照射されたスポット光を、フォーカス方向または上記光ディスクのトラックキング方向に、安定、かつ、正確な制御能が要求される。この高い制御能を可能にするためには、少なくとも上記可動部の重心が、当該可動部を駆動する力の作用点の中心に近い位置にある必要がある。
【００６１】
しかしながら、上記可動部は、上記ホルダーに備えられる対物レンズおよび光学素子の重量の違いや、それらの接着方法の違いや、接着材料の重量の違いを生じる。そのため、上記可動部の重心は、対物レンズ側に位置したり、光学素子側に位置する場合がある。
【００６２】
したがって、本発明の光ピックアップ装置は、上記ホルダーにバランサを設けることによって、上記可動部の重心を上記制御機構による駆動力が作用する作用点の中心に容易に調整することができる。これにより、上記可動部を通過した光レーザによって光ディスクの記録面上に照射されたスポット光を、フォーカス方向またはトラックキング方向に安定、かつ、正確に制御することが可能となる。
【００６３】
また、上記バランサを上記対物レンズ側および上記光学素子側の両方に設けることで、重心調整の方向が一方向に限定されることがなく、対物レンズ側および光学素子側双方向に調整することが出来る。すなわち、上述したように上記対物レンズおよび上記光学素子の重量等の違いは上記制御機構の製造前に予め分かっているため、これらの違いから、製造後の制御機構の重心の位置を予測し、算出することにより、重心の調整方向、調整量を求めることは可能である。しかしながら、組み立てる過程で、例えば接着剤のばらつきであったり、組み立て精度のばらつきなどにより、予期しないずれを生じる場合がある。そのような場合、重心調整の方向が必ずしも一方向とは限らず、対物レンズ側および光学素子側双方向に調整する必要がある。
【００６４】
したがって、バランサを上記対物レンズおよび上記光学素子に設けた場合、本発明の上記制御機構は、対物レンズ側および光学素子側双方向に重心を調整することができるため、このような制御機構を備えた本発明に係る光ピックアップ装置は、安定、かつ、正確なフォーカス方向およびトラックキング方向への制御が可能となる。
【発明を実施するための最良の形態】
【００６５】
〔実施の形態１〕
本発明の実施の一形態について図１および図２に基づいて説明すれば、以下の通りである。なお、以下に記載する本実施の形態では、本発明に係る光ピックアップ装置に備えられる制御機構について説明する。
【００６６】
図１は、本発明に係る光ピックアップ装置に備えられた制御機構５０の構造を示す構造図である。図１に示す上記制御機構５０は、例えば光ディスク記録再生装置などに備えられ、その光ディスク記録再生装置に備えられた光源からの光レーザが対物レンズ等を介して光ディスクの所定の位置に正確にフォーカスされたり、正確にトラッキングされるように、対物レンズ等の位置を制御する機能をもつ。
【００６７】
上記制御機構５０は、大きく分けて可動部、弾性支持部、固定部の３つに分かれている。以下にそれぞれの構成について説明する。
【００６８】
上記可動部は、対物レンズ１、ホルダー２、フォーカスコイル３、トラッキングコイル４ａおよび４ｂ、可動部基板５ａおよび５ｂ、光学素子６、第１のバランサ７、第２のバランサ８、１／４波長板１３から構成されている。上記弾性支持部は、板バネ９ａ〜９ｄから構成されている。上記固定部は、マグネット１０ａおよび１０ｂ、ダンパーブロック１１、固定部基板１２から構成されている。
【００６９】
上記可動部の構成については、図２を用いてより詳細に説明する。
【００７０】
図２は、図１に示した上記制御機構５０の上記可動部の構成のみを抽出して示した構成図である。
【００７１】
上記対物レンズ１は、その周縁部において上記ホルダー２に保持されている。
【００７２】
上記ホルダー２には、その側面に、上記フォーカスコイル３と、上記トラッキングコイル４ａおよび４ｂと、上記可動部基板５ａおよび５ｂとが、適宜配置されている。また上記ホルダー２の図示しない光ディスクが配置される側には、上記対物レンズ１を保持することができ、他方の側、すなわち上記ホルダー２の重心を基準として上記光ディスクの反対側には、上記光学素子６が配置できる。また上記ホルダー２の対物レンズ１側および光学素子６側に、それぞれ第１のバランサ７および第２のバランサ８が配置可能となっている。
【００７３】
上記フォーカスコイル３は、上述したように、上記対物レンズ１がフォーカス方向に制御されるための推進力を板バネ９ａ〜９ｄに与えるものである。また、上記トラッキングコイル４ａおよび４ｂは、上記対物レンズ１がディスクのトラッキング方向に制御されるための推進力を板バネ９ａ〜９ｄに与えるものである。上記可動部基板５ａおよび５ｂは、上記弾性支持部と上記可動部とを中継する。
【００７４】
上記光学素子６は、例えば、可動部への入射光束に対し、波面上に球面収差やコマ収差といった収差に相当する位相分布を付与したり、あるいは発散や収束を作用させるものである。また、上記光学素子６の数は１つに限定されるものではなく、複数でも可能である。そのため、異種の光学素子を組み合わせたものであってもよい。
【００７５】
なお、上記光学素子６の設置方法としては、例えば紫外線硬化樹脂を用いることができる。
【００７６】
上記第１のバランサ７は、上記対物レンズ１の図示しない光ディスクが配置される側の対物レンズ１周縁部に配置される。上記第１のバランサ７が、上述した位置に配置されることにより、上記可動部の重心は、上記対物レンズ１側へ調整される。上記可動部は、例えば対物レンズ１と光学素子６との重量の違いや、それらの接着方法の違いや、接着材料の重量の違い等により、その重心が、上記光学素子６の側に位置する場合がある。上記可動部の重心が、上記フォーカスコイル３と、上記トラッキングコイル４ａおよび４ｂとのそれぞれに発生する力の作用点に対応していない場合、正確にフォーカス方向およびトラッキング方向への制御を行うことが困難となる。したがって、このように上記可動部の重心が、上記光学素子６の側に位置している場合に、上記第１のバランサ７を設けることで、その重心を、上記フォーカスコイル３と、上記トラッキングコイル４ａおよび４ｂとに発生する力の作用点に対応させることが可能となる。これにより、上記制御機構５０は、フォーカス方向への制御およびトラッキング方向への制御を正確に行うことが可能となる。
【００７７】
具体的には、上記フォーカスコイル３と、上記トラッキングコイル４ａおよび４ｂとに発生する力の作用点が、上記可動部の重心に対応していない場合、フォーカス方向およびトラッキング方向へ上記可動部を駆動しようとする力は、可動部の重心とは異なる位置、すなわち重心からずれた位置に対して働く。例えば、重心からずれた位置に対してトラッキング方向への制御を行おうとする力が働いてしまうと、可動部の光軸が光ディスクの記録面に対して垂直ではなくなり、可動部が傾いた状態になる。
【００７８】
上記第１のバランサ７の構造としては、光レーザが通過するための貫通した穴を備えていることが好ましい。貫通した穴を設けた構造とすることで、情報の記録および／または再生を行うための光レーザの光路を妨げることなく、上記可動部のバランスをとることができる。さらに、上記第１のバランサ７の構造として、中心対称のドーナツ形状であることが好ましい。上記第１のバランサ７を中心対称とすることで、第１のバランサ７を設けたことによるトラッキング方向への可動部の重心のずれの発生を防ぐことができる。なお、上記第１のバランサ７の構造としては、図１または図２に示したような円形に限られるものではなく、少なくとも光レーザが通過するための貫通した穴や切り欠きなどを備えている構造であればよい。
【００７９】
さらに、上記第１のバランサ７の材質としては、非磁性体であることが好ましく、例えばＢｅＣｕのような非磁性の金属が望ましい。上記第１のバランサ７の材質を上述したようなＢｅＣｕとすることで、上記マグネット１０ａおよび１０ｂ等の磁気回路が作る磁場を乱すことがないため、磁場乱れによる感度の低下や可動部の発生推力の低下を防ぐことができる。
【００８０】
なお、上記第１のバランサ７の材質としては、ＢｅＣｕのような非磁性の金属に限定されるものではなく、非磁性体であればそれ以外の材質であってもよい。
【００８１】
上記第２のバランサ８は、上記可動部の上記光学素子６側に配置される。なおここで、上記可動部の上記光学素子６側とは、具体的に、ホルダー２に設けられた上記光学素子６の、図示しない光源から照射される光レーザが入射する側のことである。上記第２のバランサ８が、上述した位置に配置されることにより、上記可動部の重心は、上記光学素子６側へ調整される。上記可動部は、例えば対物レンズ１と光学素子６との重量の違いや、それらの接着方法の違いや、接着材料の重量の違いにより、その重心が、上記対物レンズ１の側に位置する場合がある。上記可動部の重心が、上記フォーカスコイル３と、上記トラッキングコイル４ａおよび４ｂとに発生する力の作用点に対応していない場合、正確にフォーカス方向およびトラッキング方向への制御を行うことが困難となる。したがって、このように上記可動部の重心が、上記対物レンズ１の側に位置している場合に、上記第２のバランサ８を設けることで、その重心を、上記フォーカスコイル３と、上記トラッキングコイル４ａおよび４ｂとに発生する力の作用点に対応させることが可能となる。これにより、上記制御機構５０は、フォーカス方向への制御およびトラッキング方向への制御を正確に行うことが可能となる。
【００８２】
上記第１のバランサ７と同じく、本実施形態の上記第２のバランサ８の構造としては、光レーザが通過するための貫通した穴を備えていることが好ましい。貫通した穴を設けた構造とすることで、情報の記録および／または再生を行うための光レーザの光路を妨げることなく、上記可動部のバランスをとることができる。さらに、上記第２のバランサ８の構造として、中心対称のドーナツ形状であることが好ましい。上記第２のバランサ８を中心対称とすることで、第２のバランサ８を設けたことによるトラッキング方向への可動部の重心のずれの発生を防ぐことができる。なお、上記第２のバランサ８の構造としては、図１または図２に示したような円形に限られるものではなく、少なくとも光レーザが通過するための貫通した穴を備えている構造であれば後述する本発明の他の実施形態において説明するような正方形の構造であってもよく、他の構造であってもよい。
【００８３】
さらに、上記第２のバランサ８の材質としては、非磁性体であることが好ましく、例えばＢｅＣｕのような非磁性の金属が望ましい。しかしながら、それ以外の材質であってもよい。上記第２のバランサ８の材質を上述したような非磁性体とすることで、上記マグネット１０ａおよび１０ｂ等の磁気回路が作る磁場を乱すことがないため、磁場乱れによる感度の低下や可動部の発生推力の低下を防ぐことができる。
【００８４】
なお、上記第２のバランサ８の材質は、上述したものに限定されるものではなく、非磁性体であればそれ以外の材質であってもよい。
【００８５】
また、本実施形態では、上記可動部のバランサとして、上述したように、第１のバランサ７、第２のバランサ８の２つを用いて行っている。上記ホルダー２の対物レンズ１側および光学素子６側の両方にそれぞれ上記第１のバランサ７および上記第２のバランサ８を設けることにより、バランサを対物レンズ１側または光学素子６側の一方に設けた場合と比較し、上記可動部の重心位置領域を広げることができる。またバランサを両側に設けることにより、フォーカス方向重心のずれを広範囲で解消することが可能となる。
【００８６】
しかしながら、本発明は上述に限定されるものではなく、上記可動部の重心を、上記フォーカスコイル３と、上記トラッキングコイル４ａおよび４ｂとに発生する力の作用点に近づけることが可能であるならば、バランサは、上記対物レンズ側または上記光学素子側のどちらか一方にのみ設けたものであってもよい。すなわち、本発明の上記制御機構５０は、第１のバランサ７または第２のバランサ８のどちらか一方を用いて構成されたものであってもよい。
【００８７】
また、第１のバランサ７および第２のバランサ８は、適宜その厚みや数量を設定することも可能である。
【００８８】
上記１／４波長板１３は、上記ホルダーと上記光学素子６との間に備えられており、上記光学素子６を通過した光レーザを円偏向とし、次に図示しない光ディスクから反射して対物レンズを通過した反射光を直線偏向に変換する。上記１／４波長板１３の設置方法としては、上記光学素子６と同じく、例えば紫外線硬化樹脂を用いることができる。
【００８９】
上記弾性支持部は、上記板バネ９ａ〜９ｄから構成されており、上記可動部を支持している。上記板バネ９ａ〜９ｄはそれぞれ、その一端が、上記固定部の上記固定部基板１２に固定されており、他端は上記可動部の上記可動部基板５ａおよび５ｂに固定されている。
【００９０】
上記板バネ９ａ〜９ｄは、上記可動部を駆動させるための給電経路として用いられることが好ましい。上記可動部を駆動させるための給電経路を新たに設けた場合、上記可動部のスムーズな駆動を妨げる可能性が生じる。したがって、上述した構成とすることにより、上記可動部はスムーズに駆動することが可能となる。
【００９１】
上記板バネ９ａ〜９ｄの材質としては、非磁性の金属であることが好ましく、例えばＢｅＣｕが該当する。しかしながら、上記板バネ９ａ〜９ｄは、これに限定されるものではなく、非磁性の金属であればよい。また上記板バネ９ａ〜９ｄの構造としては、上述したような板バネの構造に限定されることはなく、断面が同心円形状のものであればワイヤーであってもよい。
【００９２】
なお、本実施形態の弾性支持部は、その設置箇所が上述したように４箇所に限定されるものではない。すなわち、本発明の弾性支持部は、少なくとも４箇所に設置されていればよく、後述する本発明の他の実施形態で説明するように６箇所に設置されるものであってもよい。少なくとも４箇所で設置する理由としては、可動部の安定性を考慮するためである。
【００９３】
上記固定部には、上記マグネット１０ａおよび１０ｂが上記可動部を挟む形で構成されている。なお、上記マグネット１０ａおよび１０ｂとは、磁気回路を構成するものである。上記マグネット１０ａおよび１０ｂの外側には、上記ヨーク１３が構成されている。さらに、上記固定部には、上記固定部基板１２が、図１に示すように上記マグネット１０ｂの外側に構成された上記ダンパーブロック１１の外側に構成されている。上記固定部基板１２には、上記板バネ９ａ〜９ｄのそれぞれの一端が固定されている。また、上記ダンパーブロック１１における板バネ９ａ〜９ｄの貫通部には、図示しないがダンパー剤が注入される。
【００９４】
上述したように、安定、かつ、正確なトラッキング方向およびフォーカス方向への制御を行うためには、トラッキング方向への駆動力の作用点の中心が上記可動部の重心に働く必要がある。具体的には、安定したトラッキング方向への制御を行うためには、トラッキング方向への駆動力の中心点を含む、光レーザの光軸に対して垂直な仮想面上に、上記可動部の重心が位置する必要がある。
【００９５】
すなわち、本実施形態における制御機構５０は、上述したように上記バランサ７および上記バランサ８を上記可動部に備えることにより、上記可動部の重心を上記仮想面上に位置させることが可能となる。したがって、上記制御機構５０を備える光ピックアップ装置は、正確で安定したトラッキング方向への制御が可能となる。
すなわち、本実施形態における制御機構５０は、上記バランサ７および上記バランサ８を上記可動部に備えることにより、上記可動部における上記中心点、上記重心が光軸上に存在することになる。したがって、上記制御機構５０を備える光ピックアップ装置は、正確で安定したトラッキング方向への制御が可能となる。
【００９６】
なお、本発明の光ピックアップ装置に備えられる制御機構は、上記可動部が、上記弾性支持部材によって上記固定部に固定された構造に限定されるものではない。すなわち、バランサを備えることによって、安定し、かつ、正確なフォーカス方向およびトラックキング方向への制御が可能な可動部であれば、種々の手段によって制御装置に備えられたものであっても本発明の範囲に含まれるものである。
【００９７】
また、上記制御機構５０の上記可動部は、上記ホルダー２に対物レンズ１および光学素子６が備えられた後に、上記バランサ７および上記バランサ８が備えられることが好ましい。これにより、上述したように、上記可動部の組み立て工程における、接着剤や半田のばらつきや、組み立て精度のばらつきなどから生じる上記ホルダーの重心のずれに対応することができ、上記可動部の重心を駆動力が作用する作用点に近づくように調整することが可能となる。
【００９８】
以上の構成をもつ上記制御機構５０の動作について、以下に説明する。
【００９９】
磁気回路である上記マグネット１０ａおよび１０ｂで発生する磁界中に配置された上記フォーカスコイル３および、上記トラッキングコイル４ａおよび４ｂに、上記板バネ９ａ〜９ｄを介して、図示しない電流発生手段を用いて電流を流すことにより、上記フォーカスコイル３および、上記トラッキングコイル４ａおよび４ｂそれぞれに力が発生し、上記可動部が駆動する。
【０１００】
具体的には、後述する制御信号生成回路６５（図５）から出力されたトラッキングエラー信号（ＴＥ）をうけ、同じく後述するトラッキング制御回路６６（図５）が上記トラッキングコイル４ａおよび４ｂに電流を供給し、上記制御機構５０をトラッキング方向へ駆動する。これにより、光ディスクの正確なトラッキングを行うことが可能となる。また、後述する制御信号生成回路６５（図５）から出力されたフォーカスエラー信号（ＦＡ）をうけ、同じく後述するフォーカス制御回路６７（図５）が、上記フォーカスコイル３に電流を供給し、上記制御機構５０をフォーカス方向へ駆動する。これにより、光ディスクの正確なフォーカシングを行うことが可能となる。
【０１０１】
次に上述した制御機構を備えた光ディスク記録再生装置について、図５に基づいて説明する。
【０１０２】
図５は、本発明の制御機構５０が適用される光ディスク記録再生装置の一例を示す構成図である。上記光ディスク記録再生装置６０は、光源６１と、スピンドルモータ６２と、スピンドルモータ駆動回路６３と、光ピックアップ装置６４と、制御信号生成回路６５と、トラッキング制御回路６６と、フォーカス制御回路６７と、再生信号生成回路６８とを備えている。本発明に係る制御機構５０は、上記光ピックアップ装置６４内に構成されている。
【０１０３】
上記光源６１は、半導体レーザを上記光ピックアップ６４へ出射する装置であり、例えば波長４０５ｎｍの青紫色の光レーザを出射するものを用いることができる。
【０１０４】
上記スピンドルモータ駆動回路６３は、後述するスピンドルモータ制御信号を受け、上記スピンドルモータ６２の駆動を制御する。
【０１０５】
上記光ピックアップ装置６４には、上記制御機構５０と、図示しないサーボ信号検出光学系、コリメータレンズおよび、反射ミラーから構成されている。上記コリメータレンズは、上記光源６１から出射した直線偏光である光レーザを平行光にする。上記コリメータレンズを通過した光レーザを、その光路を上記反射ミラーによって９０°屈折させる。９０°屈折した光レーザは、上述した制御機構５０に入射する。具体的には、光レーザは制御機構５０の上記可動部へ入射し、上記光学素子６、１／４波長板１３の層を順に経由し、上記対物レンズ１を経て図示しないディスク６９上に集光される。光ディスク６９からの反射光は、再び、上記対物レンズ１を経て、上記１／４波長板１３および上記光学素子６を通過し、再度反射ミラーによって９０°屈折し、図示しないサーボ信号検出光学系に導かれる。
【０１０６】
上記制御信号生成回路６５は、上記サーボ信号検出光学系で検出されたサーボ信号を受け、所定の処理を行うことにより、各制御信号を生成する。なお、所定の処理とは、差動プッシュプル法によるトラッキングエラー信号（ＴＥ）の生成と、非点収差法によるフォーカスエラー信号（ＦＡ）の生成を行う。さらに、上記制御信号生成回路６５では、スピンドルモータ制御信号も生成する。
【０１０７】
上記トラッキング制御回路６６は、上記制御信号生成回路６５によって生成されたトラッキングエラー信号を受け、上述したようなトラッキング方向への制御を行う。具体的には、上記トラッキング制御回路６６が、上述したトラッキングコイル４ａおよび４ｂに光スポットのトラッキングのずれた量に相当する大きさの電流を与えることで制御する。
【０１０８】
上記フォーカス制御回路６７は、上記制御信号生成回路６５によって生成されたフォーカスエラー信号を受け、上述したようなトラッキング方向への制御を行う。具体的には、上記トラッキング制御回路６６が、上述したフォーカスコイル３に光スポットのトラッキングのずれた量に相当する大きさの電流を与えることで制御する。
【０１０９】
上記再生信号生成回路６８は、サーボ信号検出光学系で検出されたサーボ信号から再生信号を生成し、出力する。
【０１１０】
〔実施の形態２〕
本発明に係る他の実施の形態について、図３に基づいて説明すれば、以下の通りである。本実施形態では、上記実施の形態１との相違点について説明するため、説明の便宜上、実施の形態１で説明した部材と同様の機能を有する部材には同一の番号を付し、その説明を省略する。
【０１１１】
図３は、本発明に係る他の実施形態の制御機構の可動部の構成を示す図である。図３に示す制御機構の可動部は、上述した実施の形態１にて説明した制御機構５０（図２）の可動部に備えられた第２のバランサ８に代えて、平板バランサ１４を備えている。
【０１１２】
上記平板バランサ１４は、上記可動部のホルダー２に備えられた上記光学素子６側に配置される。上記平板バランサ１４が、上述した位置に配置されることにより、上記可動部の重心は、上記光学素子６側へ調整される。なおここで、上記可動部の上記光学素子６側とは、具体的に、ホルダー２に設けられた上記光学素子６の、図示しない光源から照射される光レーザが入射する側のことである。
【０１１３】
上記可動部は、例えば対物レンズ１と光学素子６との重量の違いや、それらの接着方法の違いや、接着材料の重量の違いにより、その重心が、上記対物レンズ１の側に位置する場合がある。上記可動部の重心が、上記フォーカスコイル３と、上記トラッキングコイル４ａおよび４ｂとに発生する力の作用点に対応していない場合、対物レンズ１を備える可動部を正確にフォーカス方向およびトラッキング方向へ制御することが困難となる。
【０１１４】
したがって、上記可動部の重心が、上記対物レンズ１の側に位置している場合に、上述したように上記平板バランサ１４を上記可動部の上記光学素子６側に設けることで、その重心を、上記フォーカスコイル３と、上記トラッキングコイル４ａおよび４ｂとに発生する力の作用点に対応させることが可能となる。
【０１１５】
これにより、上記制御機構５０が、フォーカス方向およびトラッキング方向への制御を正確に行うことができる。
【０１１６】
また、上述した実施の形態１で説明した上記第２のバランサ８と同じく、本実施形態の上記平板バランサ１４の構造としては、中心対称であることが好ましい。上記平板バランサ１４を中心対称とすることで、トラッキング方向への重心のずれが生じることを防ぐことができる。しかしながら、上記第２のバランサ８とは異なり、図３に示すように、上記平板バランサ１４は、中心部に穴を設けない。その代わり、上記平板バランサ１４には、透光性の材料を用いる。これにより、上記平板バランサ１４は、その中心部に穴が設けられていなくても、情報の記録および／または再生を行うための光レーザの光路を妨げることはない。また、本実施形態における上記制御機構の製造工程には上記平板バランサ１４に、その中心部に穴を形成するための工程を設ける必要がない。そのため、製造効率の向上が図れる。また、上記平板バランサ１４は、その中心部に穴を設けていないことから、上述した実施の形態１における第２のバランサ８の直径よりも小さなバランサを提供することができる。これにより、設置スペースを低減することが可能となる。上記平板バランサ１４を構成する透光性の材料とは、光路を妨げるものでなければ、特に限定されるものではないが、例えばガラスが挙げられる。
【０１１７】
また、上記平板バランサ１４の材質を上述したようなものとすることで、上述した実施の形態１で説明した第２のバランサ８と同じく、上記マグネット１０ａおよび１０ｂ等の磁気回路が作る磁場を乱すことがないため、磁場乱れによる感度の低下や可動部の発生推力の低下を防ぐことができる。
【０１１８】
したがって、上記平板バランサ１４の構造および材質は、上述したものに限定されるものではない。上記平板バランサ１４は、トラッキング方向への重心ずれを生じないように中心対称となっているものであればよく、正方形に限定されるものではない。
【０１１９】
また、本実施形態の制御機構は、実施の形態１で説明した制御機構５０と同じく、上記可動部のバランサとして、第１のバランサ７、平板バランサ１４の２つを用いた場合に基づいて記載している。上記ホルダー２の対物レンズ１側および光学素子６側の両方にそれぞれ上記第１のバランサ７および上記平板バランサ１４を設けることにより、バランサを対物レンズ１側または光学素子６側の一方に設けた場合と比較し、上記可動部の重心位置領域を広げることができる。またバランサを両側に設けることにより、フォーカス方向のみならず、トラッキング方向の重心のずれを広範囲で解消することが可能となる。
【０１２０】
しかしながら、本実施形態においても、上述に限定されるものではなく、上記可動部の重心を、上記フォーカスコイル３と、上記トラッキングコイル４ａおよび４ｂとに発生する力の作用点に対応させることが可能であるならば、バランサが１つであってもよい。すなわち、本実施形態の上記制御機構は、バランサを上記第１のバランサ７または上記平板バランサ１４のどちらか一方を用いて構成されたものであってもよい。また、第１のバランサ７および平板バランサ１４は、適宜その厚みや数量を設定することも可能である。
【０１２１】
また、本実施形態における制御機構の可動部も上述した実施の形態１と同じく、上記ホルダー２に対物レンズ１および光学素子６が備えられた後に、上記平板バランサ１４が備えられることが好ましい。これにより、上述したように、上記可動部の組み立て工程における、接着剤のばらつきや、組み立て精度のばらつきなどから生じる上記ホルダーの重心のずれに対応することができ、上記可動部の重心を駆動力が作用する作用点に近づくように調整することが可能となる。
【０１２２】
また、上述した実施の形態１における第１のバランサ７と同様に、本実施の形態における第１のバランサ７についても、その具体的な設置位置は、上記ホルダー２に保持された対物レンズ１の光ディスク設置側における周縁部であること好ましい。
【０１２３】
したがって、本実施の形態における制御機構も、上述した位置に上記平板バランサ１４および第１のバランサ７を設けることにより、可動部の重心の調整を容易に行うことが可能となる。
【０１２４】
〔実施の形態３〕
本発明に係る他の実施の形態について、図４に基づいて説明すれば、以下の通りである。本実施形態では、上記実施の形態１および上記実施の形態２との相違点について説明するため、説明の便宜上、実施の形態１および２で説明した部材と同様の機能を有する部材には同一の番号を付し、その説明を省略する。
【０１２５】
図４は、本発明に係る他の実施形態の制御機構の構成を示す構成図である。図に示す第２の制御機構５１は、上述した実施の形態１および実施の形態２にて説明した制御機構の可動部と固定部との弾性支持部として備えられた４本の板バネ９ａ〜９ｄに代えて、６本の第２の板バネ２３ａ〜２３ｆを備えており、さらに可動部の光学素子６に代えて、第２の光学素子２０を備えている。
【０１２６】
上記第２の板バネ２３ａ〜２３ｆはそれぞれ、その一端が、固定部の上記固定部基板１２に固定されており、他端は上記可動部の上記可動部基板５ａおよび５ｂに固定されている。
【０１２７】
上記第２の板バネ２３ａ〜２３ｆの材質としては、非磁性の金属であることが好ましく、例えばＢｅＣｕが該当する。しかしながら、上記第２の板バネ２３ａ〜２３ｆは、これに限定されるものではなく、非磁性の金属であればよい。
【０１２８】
また上記第２の板バネ２３ａ〜２３ｆの構造としては、上述したような板バネの構造に限定されることはなく、上記の実施の形態１におけると板バネ９ａ〜９ｄ同じく、断面が同心円形状のものであればワイヤーであってもよい。
【０１２９】
上記第２の光学素子２０は、透過光の波面を補正して球面収差やコマ収差を補正するために液晶を封止した液晶素子を用いることが好ましい。
【０１３０】
なお、この液晶素子は、印加する駆動電圧によって透過光の波面の補正量を制御するために給電が必要である。そこで、本実施の形態における上記第２の板バネ２３ａ〜２３ｆには、以下の特徴をそなえるものである。
【０１３１】
すなわち、本実施の形態における上記第２の板バネ２３ａ〜２３ｆのうち、４本は可動部を駆動させるための給電経路として、残り２本は第２の光学素子２０への給電経路として使用される。
【０１３２】
上記可動部を駆動させるための給電経路を新たに設けた場合、上記可動部のスムーズな駆動を妨げる可能性が生じる。したがって、上述した構成とすることにより、上記可動部はスムーズに駆動することが可能となる。
【０１３３】
なお、本実施形態における第２の板バネ２３ａ〜２３ｆも、上述した他の実施の形態における板バネ９ａ〜９ｄと同じく、その設置箇所数（設置本数）は、上記に限定されるものではなく、上記可動部を安定して固定できる数であればよい。したがって、上述したように、その設置箇所数は、少なくとも４箇所であることが好ましい。また、上記可動部の駆動用の給電経路および光学素子への給電経路に相当する本数も上記に限定されるものではなく、適宜設定することが可能である。
【０１３４】
なお、本実施の形態におけるバランサ２２としては、上述した実施の形態１で説明した第２のバランサの構成を備えたものであってもよく、または、上記実施の形態２で説明した平板バランサの構成を備えたものであってもよい。
【産業上の利用可能性】
【０１３５】
本発明は、対物レンズと光学素子とが一体となって駆動する機能を備えた制御機構を備えた光ピックアップ装置において、その制御機構にバランサを設けることにより、光ディスクのフォーカス方向およびトラッキング方向への制御を、安定かつ正確に行うことができる。
【０１３６】
したがって、上述した光ピックアップ装置を備えた本発明に係る光ディスク記録再生装置は、従来の光ディスク記録再生装置に比べ、フォーカス方向およびトラッキング方向への高い制御能を備えている。
【０１３７】
すなわち、本発明に係る光ピックアップ装置は、ＣＤ、ＣＤ−ＲＯＭ、ＣＤ−Ｒ、ＣＤ−ＲＷ、ＤＶＤ、ＤＶＤ−ＲＯＭ、ＤＶＤ−Ｒ、ＤＶＤ−ＲＷ、ＢＤ(Blu-ray Disc)規格の書き換えタイプ、追記タイプ、ＲＯＭタイプ等への記録／再生を行う光ディスク記録再生装置における光ピックアップ装置として、好適に用いることができる。
【図面の簡単な説明】
【０１３８】
【図１】本発明の一実施形態を示すものであり、光ピックアップ装置に備えられる制御機構の構造を示す構造図である。
【図２】本発明の一実施形態における光ピックアップ装置に備えられる制御機構の一部である可動の構成を示す構成図である。
【図３】本発明の他の実施形態であるゲート電極をもつ電界効果型トランジスタの製造工程を示す図である。
【図４】本発明の他の実施形態を示すものであり、光ピックアップ装置に備えられる制御機構の構造を示す構造図である。
【図５】本発明に係る光ピックアップ装置を備えた光ディスク記録再生装置の構成を示す概略図である。
【符号の説明】
【０１３９】
１    対物レンズ
２    ホルダー
３    フォーカスコイル
４ａ、４ｂ    トラッキングコイル
５ａ、５ｂ    可動部基板
６    光学素子
７    第１のバランサ
８    第２のバランサ
９ａ〜９ｄ    板バネ
１０ａ、１０ｂ    マグネット
１１    ダンパーブロック
１２    固定部基板
１３    １／４波長板
１４    平板バランサ
２０    第２の光学素子
２２    バランサ
２３ａ〜２３ｆ    第２の板バネ
５０    制御機構
５１    第２の制御機構
【図１】
2005235266.tif 000003
【図２】
2005235266.tif 000004
【図３】
2005235266.tif 000005
【図４】
2005235266.tif 000006
【図５】
2005235266.tif 000007